(57)【要約】【課題】複数のリストデータを利用可能な記録媒体及び携帯型音声再生機を提供する。【解決手段】本発明の一の実施形態に係る記録媒体は、複数のデジタルの音声データと、音声データのアドレス及び再生順を含む複数のリストデータと、複数の音声データ及び複数のリストデータのアドレス及び名称と、を記録する。【選択図】図７
2018155967.tif 000002
【特許請求の範囲】
【請求項１】
複数のデジタルの音声データと、
前記音声データのアドレス及び再生順を含む複数のリストデータと、
前記複数の音声データ及び複数のリストデータのアドレス及び名称と
を記録した記録媒体。
【請求項２】
請求項１記載の記録媒体を挿入可能に構成され、前記記録媒体に記憶されたデジタルの音声データに基づいてアナログの音声信号を生成し、音声出力装置を介して音声を再生する携帯型音声再生機であって、
前記記録媒体を挿入可能な記録媒体挿入部と、
前記複数のリストデータの名称を記憶する記憶装置と、
前記記憶装置に記憶されたリストデータの名称を、前記複数のリストデータから一のリストデータを選択可能な態様で表示する表示装置と、
選択された前記一のリストデータに従って前記記録媒体から前記音声データを順次読み出す制御回路と、
前記制御回路に読み出された前記音声データに基づいて前記音声信号を順次生成し、前記音声出力装置に出力する音声信号生成回路と
を備える携帯型音声再生機。
【請求項３】
前記制御回路は、前記一のリストデータに含まれる複数の前記音声データのアドレスを前記記録媒体から読み出し、前記記憶装置に記憶させる
請求項２記載の携帯型音声再生機。
【請求項４】
前記制御回路は、前記記憶装置に記憶された複数のアドレスに対応する複数の音声データの再生順をランダムに並び替える
請求項３記載の携帯型音声再生機。
【請求項５】
前記制御回路は、前記記録媒体に検索を行って前記複数のリストデータの名称を検出し、前記記憶装置に記憶させる
請求項２〜４のいずれか一項記載の携帯型音声再生機。
【請求項６】
前記複数の音声データ、前記複数のリストデータ、並びに、前記複数の音声データ及び複数のリストデータのアドレス及び名称を記録する第１の記録部と、
前記第１の記録部へのアクセス制限に用いられる第１のキーデータが記録された第２の記録部と、
前記第１の記録部へのアクセス制限を行い、前記第１のキーデータ及び外部から入力された第２のキーデータに基づいて前記アクセス制限を解除する制御部と
を備える請求項１記載の記録媒体。
【請求項７】
請求項６記載の記録媒体を挿入可能に構成され、前記記録媒体に記憶されたデジタルの音声データに基づいてアナログの音声信号を生成し、音声出力装置を介して音声を再生する携帯型音声再生機であって、
前記記録媒体を挿入可能な記録媒体挿入部と、
前記第２のキーデータを記録する記録装置と、
電源の投入時、及び、前記記録媒体の挿入時の少なくとも一方に、前記記録媒体に前記第２のキーデータを送信し、前記音声データを読み出す制御回路と、
前記制御回路に読み出された前記音声データに基づいて前記音声信号を生成し、前記音声出力装置に出力する音声信号生成回路と
を備える携帯型音声再生機。
【発明の詳細な説明】
【技術分野】
【０００１】
本発明は、記録媒体及び携帯型音声再生機に関する。
【背景技術】
【０００２】
デジタルの音声データに基づいてアナログの音声信号を生成し、イヤホンやヘッドホン等の音声出力装置を介して音声を再生する携帯型音声再生機が知られている。この様な携帯型音声再生機は、例えば、音声データに基づいて上記音声信号を生成し、音声出力装置に出力する音声信号生成回路と、この音声信号生成回路に音声データを出力する制御回路と、を備える。
【０００３】
この様な携帯型音声再生機には、プレイリスト（リストデータ）を利用可能なものがある。このプレイリストは、複数の音声データの記録媒体におけるアドレス及び再生順を含む。このプレイリストを利用することにより、ユーザは、例えば、同じアルバムに含まれる複数の楽曲を連続で再生したり、ユーザによって予め指定された複数の楽曲を所定の順序で再生したりすることが可能となる。
【先行技術文献】
【特許文献】
【０００４】
【特許文献１】特開２００７−０１１０８８号公報
【発明の概要】
【発明が解決しようとする課題】
【０００５】
本発明の一実施形態は、複数のリストデータを利用可能な記録媒体及び携帯型音声再生機を提供することを目的とする。
【課題を解決するための手段】
【０００６】
本発明の一の実施形態に係る記録媒体は、複数のデジタルの音声データと、音声データのアドレス及び再生順を含む複数のリストデータと、複数の音声データ及び複数のリストデータのアドレス及び名称と、を記録する。
【０００７】
本発明の一の実施形態に係る携帯型音声再生機は、このような記録媒体を挿入可能に構成され、この記録媒体に記憶されたデジタルの音声データに基づいてアナログの音声信号を生成し、イヤホンやヘッドホン等の音声出力装置を介して音声を再生する。また、この携帯型音声再生機は、上記記録媒体を挿入可能な記録媒体挿入部と、複数のリストデータの名称を記憶する記憶装置と、この記憶装置に記憶されたリストデータの名称を、複数のリストデータから一のリストデータを選択可能な態様で表示する表示装置と、選択された一のリストデータに従って記録媒体から音声データを順次読み出す制御回路と、制御回路に読み出された音声データに基づいて音声信号を順次生成し、上記音声出力装置に出力する音声信号生成回路と、を備える。
【０００８】
この様な場合、ユーザが複数のリストデータの中から一のリストデータを選択し、この一のリストデータによって指定される楽曲等の音声の再生を行うことが出来る。これにより、複数のリストデータを利用可能な記録媒体及び携帯型音声再生機の提供が可能となる。
【０００９】
この様な場合、上記制御回路は、上記一のリストデータに含まれる複数の音声データのアドレスを記録媒体から読み出し、記憶装置に記憶させても良い。この場合、制御回路は、記憶装置に記憶された複数のアドレスに対応する複数の音声データの再生順をランダムに並び替えても良い。これにより、複数のリストデータから一のリストデータを選択し、このリストデータに対応する複数の音声データをランダムな順番で再生することが可能となる。
【００１０】
また、上記制御回路は、記録媒体に検索を行って複数のリストデータの名称を検出し、記憶装置に記憶させても良い。これにより、記録媒体内におけるリストデータのアドレスを限定する必要が無くなるため、ユーザは、記録媒体内のディレクトリ構造等を理解することなくリストデータＬＤを容易に利用することが可能となる。
【００１１】
また、上記記録媒体は、例えば、複数の音声データ、複数のリストデータ、並びに、複数の音声データ及び複数のリストデータのアドレス及び名称を記録する第１の記録部と、この第１の記録部へのアクセス制限に用いられる第１のキーデータが記録された第２の記録部と、第１の記録部へのアクセス制限を行い、第１のキーデータ及び外部から入力された第２のキーデータに基づいて上記アクセス制限を解除する制御部と、を備えていても良い。
【００１２】
また、本発明の一の実施形態に係る携帯型音声再生機は、このような記録媒体を挿入可能に構成され、この記録媒体に記憶されたデジタルの音声データに基づいてアナログの音声信号を生成し、音声出力装置を介して音声を再生する。また、この携帯型音声再生機は、上記記録媒体を挿入可能な記録媒体挿入部と、上記第２のキーデータを記録する記録装置と、電源の投入時、及び、記録媒体の挿入時の少なくとも一方に、記録媒体に第２のキーデータを送信し、上記音声データを読み出す制御回路と、制御回路に読み出された音声データに基づいて音声信号を生成し、音声出力装置に出力する音声信号生成回路と、を備える。
【００１３】
この様な場合、第１の記録部へのアクセスが制限されるため、音声データの不正コピー等を好適に抑制可能である。また、電源の投入時及び記録媒体の挿入時の少なくとも一方に記録媒体に第２のキーデータを送信することにより上記アクセス制限が解除されるため、簡便な操作性と音声データの保護を同時に実現可能である。
【発明の効果】
【００１４】
本発明の一実施形態によれば、複数のリストデータを利用可能な記録媒体及び携帯型音声再生機を提供することが可能となる。
【図面の簡単な説明】
【００１５】
【図１】本発明の第１の実施形態に係る携帯型音声再生機の外観を示す正面図である。
【図２】同携帯型音声再生機の外観を示す底面図である。
【図３】同携帯型音声再生機の外観を示す平面図である。
【図４】同携帯型音声再生機の外観を示す右側面図である。
【図５】同携帯型音声再生機の外観を示す左側面図である。
【図６】同実施形態に係る携帯型音声再生機の内部構成を示す概略的な機能ブロック図である。
【図７】同実施形態に係る記録媒体及び携帯型音声再生機の一部の構成を示す概略的な機能ブロック図である。
【図８】同携帯型音声再生機の動作を説明するためのフローチャートである。
【図９】同携帯型音声再生機の一部の動作を説明するためのフローチャートである。
【図１０】同携帯型音声再生機の一部の動作を説明するためのフローチャートである。
【図１１】本発明の第２の実施形態に係る記録媒体及び携帯型音声再生機の一部の構成を示す概略的な機能ブロック図である。
【図１２】同記録媒体及び携帯型音声再生機の一部の動作を説明するためのフローチャートである。
【発明を実施するための形態】
【００１６】
次に、図面を参照し、本発明の実施形態について説明する。尚、以下の説明は例示的なものであり、詳細については適宜変更可能である。例えば、携帯型音声再生機の外観、各構成の位置、大きさ及び範囲、各構成の具体的な態様等は適宜変更可能である。また、各図面においては、説明の都合上、一部の構成を省略することがある。
【００１７】
［第１の実施形態］
［携帯型音声再生機の外観］
図１〜図５は、それぞれ、本発明の第１の実施形態に係る携帯型音声再生機の外観を示す正面図、底面図、平面図、右側面図及び左側面図である。
【００１８】
図１に示す通り、筐体１０１の正面下部には３つのボタン１０２が、その上方にはディスプレイ１０３が設けられる。ボタン１０２は、音声の再生、停止、曲送り、音量の調整等の操作に用いられる。ディスプレイ１０３は、再生中の音声や選択される音声に関する情報を表示する。
【００１９】
図２に示す通り、筐体１０１の下部には、音声端子１０４、充電端子１０５及び光源１０６が設けられる。音声端子１０４にはイヤホンやヘッドホン等の音声出力装置の接続端子（例えば、イヤホンジャック）を接続可能である。音声出力装置は、接続端子への音声信号の入力に応じて音声を出力する。本実施形態に係る携帯型音声再生機は、この音声出力装置に音声信号を出力することによって音声を再生する。充電端子１０５は、例えば、マイクロＵＳＢケーブル用の端子であり、内蔵バッテリーの充電やファームウェアのインストール等に用いられる。光源１０６は、例えば、発光ダイオード等の光源であり、内蔵バッテリーの状態や充電の状態等に応じて発光する。
【００２０】
図３に示す通り、筐体１０１の上部には、記録媒体挿入部１０７が設けられる。記録媒体挿入部１０７は、記録媒体を挿入可能なソケットである。本実施形態に係る携帯型音声再生機は、この記録媒体に記録された音声データに基づいて音声信号を生成する。尚、ここで言う記録媒体とは、例えば、ｍｉｃｒｏＳＤカードやＳＤカード等の半導体メモリ、補助記録媒体、又は、二次記録媒体である。
【００２１】
図４に示す通り、筐体１０１の右側面には、電源操作部１０８が設けられる。電源操作部１０８は、例えば、スライド式のスイッチであり、携帯型音声再生機の電源の投入及び切断に用いられる。また、電源操作部１０８の上方には、ストラップ等の付属品を取り付け可能な付属品取付部が設けられる。付属品取付部はピン部材１１０等を備え、このピン部材１１０と筐体１０１との間にはホール部１１１が設けられる。
【００２２】
図５に示す通り、筐体１０１の左側面には、ボタン操作切替部１０９が設けられる。ボタン操作切替部１０９は、例えば、ボタン１０２の操作の切替に用いられる。例えば、ボタン操作切替部１０９の操作により、ボタン１０２の操作がロックされても良いし、ボタン１０２に異なる動作が割り当てられても良い。例えば、ボタン操作切替部１０９が第１の状態である場合には筐体１０１正面の３つのボタン１０２にそれぞれ再生及び曲送り等の第１の動作が割り当てられ、第２の状態である場合には、表示切替及び音量調整等の第２の動作が割り当てられても良い。
【００２３】
［携帯型音声再生機の内部構成］
図６は、第１の実施形態に係る携帯型音声再生機の内部構成を示す概略的な機能ブロック図である。
【００２４】
筐体１０１内には、音声端子１０４、音声信号生成回路２０１、制御回路２０２、電源回路２０４、バッテリー２０５、電源スイッチ２０６、充電回路２０７等が格納される。
【００２５】
音声端子１０４は、例えば、左耳用の音声電極１４１、右耳用の音声電極１４２、並びに、接地用の電極１４３，１４４を備える３極式の音声端子である。音声電極１４１，１４２、及び、接地用の電極１４３，１４４は、音声出力装置の接続端子（例えば、イヤホンジャック）を機械的に保持すると共に、この接続端子に電気的に接続される。尚、音声端子１０４は、２極式又は４極式等、他の構成であっても良い。
【００２６】
音声信号生成回路２０１は、例えばＤＡコンバータであり、デジタルの音声データに基づいてアナログの音声信号を生成して音声電極１４１，１４２に出力する。具体的には、左耳用及び右耳用のアナログの音声信号（Ｌ，Ｒ）を生成し、それぞれ、出力端子２０１Ｌ，２０１Ｒから、カップリングコンデンサＣＣを介して、音声端子１０４の音声電極１４１、１４２に出力する。尚、ここで言う音声データとは、例えば、ハイレゾリューションオーディオ（以下、「ハイレゾ」と呼ぶ。）の音楽データである。ハイレゾの音楽データは、例えば、サンプリング周波数及び量子化ビット数の双方がＣＤ音源よりも大きいか、サンプリング周波数及び量子化ビット数のどちらか一方がＣＤ音源よりも大きく、且つ、他方がＣＤ音源と同等である。尚、ＣＤ音源のサンプリング周波数は４４．１ｋＨｚ、量子化ビット数は１６ｂｉｔである。また、ハイレゾの音楽データは、例えば、ＦＬＡＣ（Free Lossless Audio Codec）やＷＡＶ等のデータ形式を有する。また、ここで言う音声信号とはアナログの交流信号であり、イヤホンやヘッドホン等の音声出力装置に出力されることにより、音楽等の音声が再生されるものである。
【００２７】
制御回路２０２は、例えばＭＣＵであり、ボタン１０２及びボタン操作切替部１０９の操作、並びに、制御回路２０２内部のＲＯＭに記憶されたファームウェアに従って動作する。例えば、音声の再生に際して、制御回路２０２は記録媒体挿入部１０７に挿入された記録媒体３００から音声データを読み出して、音声信号生成回路２０１に出力する。また、制御回路２０２は、ディスプレイ１０３を制御して、文字や数字、ロゴ等を表示させる。これらの点については、後に図７を参照して詳述する。
【００２８】
電源回路２０４は、例えば降圧回路、ＤＣ／ＤＣコンバータ、レギュレータ等の集積回路であり、音声信号生成回路２０１、制御回路２０２、ディスプレイ１０３等の動作に適した電圧を生成して、これらの構成に供給する。
【００２９】
バッテリー２０５は、例えばリチウムイオン電池等の充電池であり、電源回路２０４に電力を供給する。尚、バッテリー２０５は、交換式の電池であっても良い。
【００３０】
電源スイッチ２０６は、例えば、電源操作部１０８と機械的に連動する機械式のスイッチであり、電源回路２０４に接続されたノードｎ１０及びバッテリー２０５の陽極に接続されたノードｎ１１を電気的に接続し、又は切断する。即ち、本実施形態においては、電源切断時に電源回路２０４に電力を供給しない。尚、電源スイッチ２０６は、機械式のスイッチでなくても良い。
【００３１】
充電回路２０７は、例えば、充電端子１０５に供給された電力を調整してバッテリー２０５に供給する集積回路である。また、充電回路２０７には光源１０６が接続されており、例えば、バッテリー２０５の状態や充電の状態等に応じて光源１０６を発光させる。
【００３２】
［制御回路２０２及び記録媒体３００］
図７は、制御回路２０２及び記録媒体３００についてより詳細に説明するための概略的な機能ブロック図である。
【００３３】
記録媒体３００のルートディレクトリＲＤには、例えば、複数のサブディレクトリＳＤ１，ＳＤ２，ＳＤ３が記憶される。また、例えば、一部のサブディレクトリＳＤ１，ＳＤ２には、複数の音声データＭＤが記憶され、他のサブディレクトリＳＤ３には、複数のリストデータＬＤが記憶される。ここで言うリストデータＬＤとは、例えばｍ３ｕファイル等のプレイリストファイルであり、音声データＭＤの記録媒体３００におけるアドレス（パス）、音声データＭＤの名称、及び、音声データＭＤの再生順等の情報を含むデータである。また、記録媒体３００には、複数の音声データＭＤ及び複数のリストデータＬＤに関する情報が記録される。複数の音声データＭＤ及び複数のリストデータＬＤに関する情報とは、例えば音声データＭＤ及びリストデータＬＤに対応する名称（例えば曲名やプレイリストの名称）や記録媒体３００におけるアドレス（パス）、音声データＭＤのサンプリング周波数等である。
【００３４】
制御回路２０２は、例えば、ＣＰＵ２２１、一時記憶装置２２２、及び、ＲＯＭ２２３を備える。ＣＰＵ２２１は、ＲＯＭ２２３内に記憶されたファームウェアＦＷ等に従って動作する。
【００３５】
ＣＰＵ２２１は、例えば、記録媒体３００から音声データＭＤ及びリストデータＬＤに関する情報を読み出し、一時記憶装置２２２に記憶させる。尚、一時記憶装置２２２には、複数のリストデータＬＤを記憶させても良い。即ち、複数のリストデータＬＤに含まれる複数の音声データＭＤのアドレスや名称等を記憶させても良い。
【００３６】
また、ＣＰＵ２２１は、一時記憶装置２２２に記憶された音声データＭＤ及びリストデータＬＤに関する情報を、複数の音声データＭＤや複数のリストデータＬＤから一の音声データＭＤや一のリストデータＬＤを選択可能な態様でディスプレイ１０３に表示させる。尚、ここで言う「選択可能な態様で表示」とは、例えば、選択対象の音声データＭＤやリストデータＬＤに対応する名称をディスプレイ１０３に表示し、ボタン１０２の操作に応じてディスプレイ１０３上で選択対象の音声データＭＤやリストデータＬＤの名称を切り換え、これによってユーザが音声データＭＤやリストデータＬＤを選択可能な状態にすることである。
【００３７】
例えば一の音声データＭＤが選択された場合、ＣＰＵ２２１は、一時記憶装置２２２に記憶された複数の音声データＭＤのアドレスの中から選択された音声データＭＤに対応するものを選択し、このアドレスを参照し、選択された音声データＭＤの読み出し及び音声信号生成回路２０１への出力を行う。これにより、音声信号が生成され、音声が再生される。
【００３８】
一方、一のリストデータＬＤが選択された場合、ＣＰＵ２２１は、例えば、一時記憶装置２２２に記憶された複数のリストデータＬＤのアドレスの中から選択されたリストデータＬＤに対応するものを選択し、このアドレスを参照し、選択されたリストデータＬＤを記録媒体３００から読み出して、一時記憶装置２２２に記憶する。即ち、リストデータＬＤに含まれる複数の音声データＭＤのアドレスや名称等を一時記憶装置２２２に記憶する。その後、これら複数のアドレスを参照して音声データＭＤを順次読み出し、音声信号生成回路２０１に出力する。これにより、音声信号が順次生成され、音声が順次再生される。
【００３９】
［携帯型音声再生機の動作］
次に、携帯型音声再生機の動作について説明する。以下の動作は、例えば、携帯型音声再生機の電源の投入に伴い、制御回路２０２内部のＲＯＭ２２３（図７）に記憶されたファームウェアＦＷに従い、ＣＰＵ２２１により実行される。
【００４０】
図８は、第１の実施形態に係る携帯型音声再生機の動作を説明するためのフローチャートである。
【００４１】
ステップＳ１００においては、記録媒体３００の状態が検知される。ステップＳ２００においては、音声データＭＤの選択が行われる。ステップＳ３００においては、音声の再生が行われる。ステップＳ４００においては、音声データＭＤの切替が行われる。ステップＳ４００が終了すると、再びステップＳ３００が開始される。
【００４２】
尚、ステップＳ３００においては、制御回路２０２によって各種監視が行われる。例えば、他の音声データＭＤ又はリストデータＬＤが選択されたり、停止や曲送り等が行われた場合には、これら操作に従って動作を行う。また、記録媒体３００が引き抜かれた場合には、その旨をディスプレイ１０３に表示すると共に、音声の再生を中断する。
【００４３】
［ステップＳ１００］
図９は、ステップＳ１００を説明するためのフローチャートである。
【００４４】
ステップＳ１００においては、例えば、まず記録媒体３００の検知処理が行われる（ステップＳ１０１）。例えば、携帯型音声再生機に記録媒体３００が挿入されているか否か判定し、挿入されていなかった場合、ディスプレイ１０３に“Ｐｌｅａｓｅ  ｉｎｓｅｒｔ”等と表示して、記録媒体３００の挿入をユーザに促す（ステップＳ１０２）。また、記録媒体３００が挿入されていた場合、この記録媒体３００が取扱い可能なものか否かを判定し、取扱いできないものであった場合、ディスプレイ１０３に“Ｃａｒｄ  ｅｒｒｏｒ  Ｐｌｅａｓｅ  ｅｊｅｃｔ”等と表示して、記録媒体３００の排出をユーザに促す（ステップＳ１０３）。また、記録媒体３００が取扱い可能なものであった場合には、記録媒体３００に検索を行い、記録媒体３００に音声データＭＤ及びリストデータＬＤが記録されているか否かを判定する。もし音声データＭＤもリストデータＬＤも記録されていない場合、ディスプレイ１０３に“Ｍｕｓｉｃ  ｎｏｔ  ｆｏｕｎｄ  Ｐｌｅａｓｅ  ｅｊｅｃｔ”等と表示して、記録媒体３００の排出をユーザに促す（ステップＳ１０４）。もし音声データＭＤ及びリストデータＬＤの少なくとも一方が検出された場合には、ステップＳ１００が終了となる。
【００４５】
尚、音声データＭＤ及びリストデータＬＤの検索は、記録媒体３００内の全ディレクトリＲＤ，ＳＤ１，ＳＤ２，ＳＤ３に対して行っても良いし、記録媒体３００のルートディレクトリＲＤ、及び、所定階層分のサブディレクトリＳＤ１，ＳＤ２，ＳＤ３のみに対して行っても良い。更に、ルートディレクトリＲＤのみに対して行ったり、所定のサブディレクトリＳＤ３のみに対して行っても良い。尚、音声データＭＤ及びリストデータＬＤの検索を行う際、図７を参照して説明した通り、例えば、制御回路２０２の一時記憶装置２２２内にリストデータＬＤに関する情報が記憶される。
【００４６】
［ステップＳ２００］
図１０は、ステップＳ２００を説明するためのフローチャートである。
【００４７】
ステップＳ２０１においては、音声データＭＤ及びリストデータＬＤが記録媒体３００に記録されているか否かを判定する。この判定には、ステップＳ１００における判定の結果を流用可能である。音声データＭＤ及びリストデータＬＤの双方が記録されている場合にはステップＳ２０２が、音声データＭＤのみが記録されている場合にはステップＳ２０３が行われる。
【００４８】
ステップＳ２０２においては、全曲再生モード又はリスト再生モードが選択される。全曲再生モードにおいては、記録媒体３００内に記録された全ての音声データＭＤが所定の順序、例えば、記録媒体３００に記憶された順序で再生される。リスト再生モードにおいては、リストデータＬＤによって指定された音声データＭＤが、例えばリストデータＬＤによって指定された順序で再生される。ステップＳ２０２においては、ディスプレイ１０３に“＜＜Ｓｅｌｅｃｔ＞＞  ＆＞  Ａｌｌ  ｐｌａｙ”等と表示し、ユーザによるボタン操作等に応じてディスプレイ１０３の表示を“＜＜Ｓｅｌｅｃｔ＞＞  ＆＞  Ｌｉｓｔ  ｐｌａｙ”等に切り替える。前者が表示されている場合に特定のボタン操作が行われた場合には全曲再生モードが選択され、ステップＳ２０３が行われる。後者が表示されている場合に特定のボタン操作が行われた場合にはリスト再生モードが選択され、ステップＳ２０４が行われる。
【００４９】
ステップＳ２０３においては、記録媒体３００の検索が行われ、例えば図７を参照して説明した通り、制御回路２０２の一時記憶装置２２２内に音声データＭＤに関する情報が記憶される。尚、音声データＭＤの検索は、記録媒体３００内の全ディレクトリＲＤ，ＳＤ１，ＳＤ２，ＳＤ３に対して行っても良いし、記録媒体３００のルートディレクトリＲＤ、及び、所定階層分のサブディレクトリＳＤ１，ＳＤ２，ＳＤ３に行っても良い。
【００５０】
ステップＳ２０４においては、ステップＳ１００において制御回路２０２の一時記憶装置２２２内に記憶された複数のリストデータＬＤの名称等を、複数のリストデータＬＤから一のリストデータＬＤを選択可能な態様でディスプレイ１０３に表示する。例えば、リストデータＬＤの名称が“ＡＬＢＵＭ１”及び“ＡＬＢＵＭ２”である場合、ディスプレイ１０３に“＜＜Ｓｅｌｅｃｔ＞＞  ＆＞  １  ＡＬＢＵＭ１”等と表示し、ユーザによるボタン操作等に応じてディスプレイ１０３の表示を“＜＜Ｓｅｌｅｃｔ＞＞  ＆＞  ２  ＡＬＢＵＭ２”等に切り替える。前者が表示されている場合に特定のボタン操作が行われた場合には“ＡＬＢＵＭ１”に対応するリストデータＬＤが選択され、後者が表示されている場合に特定のボタン操作が行われた場合には“ＡＬＢＵＭ２”に対応するリストデータＬＤが選択される。
【００５１】
ステップＳ２０５においては、記録媒体３００の検索が行われ、例えば図７を参照して説明した通り、制御回路２０２の一時記憶装置２２２内に音声データＭＤに関する情報が記憶される。ステップＳ２０５においては、ステップＳ２０３と異なり、ステップＳ２０４において選択された一のリストデータＬＤに含まれるアドレス（パス）及び名称（曲名）が順次参照され、リストデータＬＤによって指定された音声データＭＤに関する情報が取得され、一時記憶装置２２２内に記憶される。
【００５２】
ステップＳ２０６においては、ボタン操作等による再生開始の指示を待つ。再生開始の指示を待つ間、ディスプレイ１０３に“Ｐｌｅａｓｅ  ｐｕｓｈ  ＞  １２３Ｍｕｓｉｃｓ”等と表示する。再生開始の指示が行われると、ステップＳ２０７が行われる。
【００５３】
ステップＳ２０７においては、シャッフルモードが選択されているか否かを判定する。シャッフルモードが選択されている場合にはステップＳ２０８が行われ、選択されていない場合にはステップＳ２００を終了する。
【００５４】
ステップＳ２０８においては、音声データＭＤの再生順がランダムに入れ替えられる。ステップＳ２０８は、種々の態様で実現可能である。例えば一時記憶装置２２２内における音声データＭＤに関する情報の順序を入れ替えることによって実現しても良いし、これら情報にランダムに番号を付すことによって実現しても良い。
【００５５】
［第１の実施形態に係る携帯型音声再生機の効果］
本実施形態に係る記録媒体３００は、図７等を参照して説明した通り、複数のデジタルの音声データＭＤと、音声データＭＤのアドレス及び再生順を含む複数のリストデータＬＤと、複数の音声データＭＤ及び複数のリストデータＬＤのアドレス及び名称と、を記録する。
【００５６】
また、本実施形態に係る携帯型音声再生機は、記録媒体３００を挿入可能に構成され、この記録媒体３００に記憶されたデジタルの音声データＭＤに基づいてアナログの音声信号を生成し、イヤホンやヘッドホン等の音声出力装置を介して音声を再生する。また、この携帯型音声再生機は、上記記録媒体３００を挿入可能な記録媒体挿入部１０７と、複数のリストデータＬＤの名称を記憶する一時記憶装置２２２と、この一時記憶装置２２２に記憶されたリストデータＬＤの名称を、複数のリストデータＬＤから一のリストデータＬＤを選択可能な態様で表示するディスプレイ１０３と、選択された一のリストデータＬＤに従って記録媒体３００から音声データＭＤを順次読み出すＣＰＵ２２１と、ＣＰＵ２２１に読み出された音声データＭＤに基づいて音声信号を順次生成し、上記音声出力装置に出力する音声信号生成回路２０１と、を備える。
【００５７】
この様な場合、ユーザが複数のリストデータＬＤの中から一のリストデータＬＤを選択し、この一のリストデータＬＤによって指定される楽曲等の音声の再生を行うことが出来る。これにより、複数のリストデータＬＤを利用可能な記録媒体３００及び携帯型音声再生機の提供が可能となる。
【００５８】
また、本実施形態において、ＣＰＵ２２１は、上記一のリストデータＬＤに含まれる複数の音声データＭＤのアドレスを記録媒体３００から読み出し、一時記憶装置２２２に記憶させることが出来る。また、ＣＰＵ２２１は、一時記憶装置２２２に記憶された複数のアドレスに対応する複数の音声データＭＤの再生順をランダムに並び替えることが出来る。これにより、複数のリストデータＬＤから一のリストデータＬＤを選択し、このリストデータＬＤに対応する複数の音声データＭＤをランダムな順番で再生することが可能となる。
【００５９】
また、ＣＰＵ２２１は、記録媒体３００に検索を行って複数のリストデータＬＤの名称を検出し、記憶装置２２２に記憶させる。これにより、記録媒体３００内におけるリストデータＬＤのアドレスを限定する必要が無くなるため、ユーザは、記録媒体３００内のディレクトリ構造等を理解することなくリストデータＬＤを容易に利用することが可能となる。
【００６０】
［第２の実施形態］
次に、本発明の第２の実施形態について説明する。尚、以下の説明において、第１の実施形態と同様の部分には同一の符号を付し、説明を省略する。
【００６１】
図１１は、本実施形態に係る記録媒体３１０及び携帯型音声再生機の一部の構成を示す概略的な機能ブロック図である。
【００６２】
本実施形態に係る記録媒体３１０は、例えば、第１の記録部３０１、第２の記録部３０２及び制御部３０３を備える。第１の記録部３０１には、複数の音声データＭＤ、複数のリストデータＬＤ、並びに、複数の音声データＭＤ及び複数のリストデータＬＤに関する情報が記録される。第２の記録部３０２は、基本的に外部からのアクセスが制限される領域であり、第１の記録部３０１へのアクセス制限に用いられる第１のキーデータＫｅｙ１が記憶される。制御部３０３は、第１の記録部３０１及び第２の記録部３０２へのアクセス、即ち、読出し、書き込み、消去等を行い、また、第１の記録部３０１へのアクセス制限及びその解除を行う。
【００６３】
また、本実施形態に係る制御回路２０２においては、ＲＯＭ２２３内に、ファームウェアＦＷに加え、第２のキーデータＫｅｙ２が記録される。この第２のキーデータＫｅｙ２は、記録媒体３１０の第１の記録部３０１へのアクセス制限を解除する為に用いられるデータである。
【００６４】
図１２は、第２の実施形態に係るステップＳ１００を説明するためのフローチャートである。以下の動作は、例えば、ステップＳ１００の開始に伴い、制御回路２０２内部のＲＯＭ２２３（図１１）に記憶されたファームウェアＦＷに従って、制御回路２０２内部のＣＰＵ２２１により実行される。
【００６５】
本実施形態に係るステップＳ１００は、基本的には第１の実施形態に係るステップＳ１００と同様に行われる。ただし、本実施形態においては、ステップＳ１０１が行われる前に、制御回路２０２から記録媒体３１０に第２のキーデータＫｅｙ２が送信される。第２のキーデータＫｅｙ２が送信されると、記録媒体３１０の制御部３０３は、第２の記録部３０２に記録された第１のキーデータＫｅｙ１を参照して、これら第１及び第２のキーデータＫｅｙ１，Ｋｅｙ２の組み合わせが所定の条件を満たすか否かを判定する。もしこの条件が満たされた場合には、制御回路２０２による記録媒体３１０へのアクセス制限が解除される。満たされない場合には、解除されない。
【００６６】
尚、本実施形態においては、携帯型音声再生機の電源の投入時、及び、記録媒体３１０の挿入時の双方にステップＳ１０５が行われるが、どちらか一方のタイミングでのみステップＳ１０５が行われても良い。
【００６７】
［第２の実施形態に係る携帯型音声再生機の効果］
本実施形態に係る記録媒体３１０は、図１１等を参照して説明した通り、複数の音声データＭＤ、複数のリストデータＬＤ、並びに、複数の音声データＭＤ及び複数のリストデータＬＤのアドレス及び名称を記録する第１の記録部３０１と、この第１の記録部３０１へのアクセス制限に用いられる第１のキーデータＫｅｙ１が記録された第２の記録部３０２と、第１の記録部３０１へのアクセス制限を行い、第１のキーデータＫｅｙ１及び外部から入力された第２のキーデータＫｅｙ２に基づいて上記アクセス制限を解除する制御部３０３と、を備えている。
【００６８】
また、本実施形態に係る携帯型音声再生機は、記録媒体３１０を挿入可能に構成され、この記録媒体３１０に記憶されたデジタルの音声データＭＤに基づいてアナログの音声信号を生成し、音声出力装置を介して音声を再生する。また、この携帯型音声再生機は、記録媒体３１０を挿入可能な記録媒体挿入部１０７と、上記第２のキーデータＫｅｙ２を記録するＲＯＭ２２３と、電源の投入時、及び、記録媒体３１０の挿入時の少なくとも一方に、記録媒体３１０に第２のキーデータＫｅｙ２を送信し、音声データＭＤを読み出すＣＰＵ２２１と、ＣＰＵ２２１に読み出された音声データＭＤに基づいて音声信号を生成し、音声出力装置に出力する音声信号生成回路２０１と、を備える。
【００６９】
この様な場合、第１の記録部３０１へのアクセスが制限されるため、音声データＭＤの不正コピー等を好適に抑制可能である。また、電源の投入時及び記録媒体３１０の挿入時の少なくとも一方に記録媒体３１０に第２のキーデータＫｅｙ２を送信することにより上記アクセス制限が解除されるため、簡便な操作性と音声データＭＤの保護を同時に実現可能である。
【００７０】
［その他の実施形態］
上記実施形態に係る記録媒体及び携帯型音声再生機は説明のために例示したものであり、具体的な構成は適宜変更可能である。
【００７１】
例えば、図６では、音声信号生成回路２０１と制御回路２０２とがそれぞれ独立した集積回路によって実現される例を示している。しかしながら、例えば、音声信号生成回路２０１と制御回路２０２とを一つの集積回路によって実現することも可能である。
【００７２】
また、第１及び第２の実施形態においては、ＣＰＵ２２１がＲＯＭ２２３内に記憶されたファームウェアＦＷ等に従って動作することにより、各種動作を実行していた。しかしながら、これら動作の一部または全部は、ＦＰＧＡ（Field Programable Gate Array）等の手段により、ファームウェアでなく回路等によって実現されても良い。
【００７３】
また、例えば、上記実施形態に係る携帯型音声再生機は音声出力装置を含んでいないが、本発明は、音声出力装置と一体に形成されたものについて適用することも可能である。
【符号の説明】
【００７４】
１０１…筐体、１０２…ボタン、１０３…ディスプレイ、１０４…音声端子、１０５…充電端子、１０６…光源、１０７…記録媒体挿入部、１０８…電源操作部、１０９…ボタン操作切替部、１１０…ピン部材、２０１…音声信号生成回路、２０２…制御回路、２０４…電源回路、２０５…バッテリー、２０６…電源スイッチ、２０７…充電回路、２２１…ＣＰＵ、２２２…一時記憶装置、２２３…ＲＯＭ、３００…記録媒体、３０１…第１の記録部、３０２…第２の記録部、３０３…制御部。
【図１】
2018155967.tif 000003
【図２】
2018155967.tif 000004
【図３】
2018155967.tif 000005
【図４】
2018155967.tif 000006
【図５】
2018155967.tif 000007
【図６】
2018155967.tif 000008
【図７】
2018155967.tif 000009
【図８】
2018155967.tif 000010
【図９】
2018155967.tif 000011
【図１０】
2018155967.tif 000012
【図１１】
2018155967.tif 000013
【図１２】
2018155967.tif 000014